(57)【要約】【課題】解析処理を含む画像処理を、読み取られた画像に応じて、適切に決定できる技術を提供する。【解決手段】複数の読取部の中から原稿の画像の読み取りを指示された読取部を特定する。特定された読取部が原稿を静止させて原稿の画像を読み取る第１読取部であることを含む第１条件が満たされる場合には、読み取られた画像から第１種領域を抽出する第１解析処理を、適用すべき解析処理として決定する。特定された読取部が原稿を搬送させて原稿の画像を読み取る第２読取部であることを含む第２条件が満たされる場合には、読み取られた画像から第２種領域を抽出する第２解析処理を、適用すべき解析処理として決定する。【選択図】  図７
2014017562.tif 000002
【特許請求の範囲】
【請求項１】
原稿の画像を読み取る複数の読取部を有する読取装置によって読み取られた画像の処理を制御する制御装置であって、
原稿の画像の読み取りのために指示された読み取り条件を特定する特定部と、
前記特定された読み取り条件に応じて、読み取られた画像に適用すべき解析処理を決定する解析決定部と、
を備え、
前記特定部は、複数の読取部の中から前記原稿の画像の読み取りを指示された読取部を特定する読取特定部を含み、
前記解析決定部は、
前記特定された読取部が前記原稿を静止させて前記原稿の画像を読み取る第１読取部であることを含む第１条件が満たされる場合には、前記読み取られた画像から第１種領域を抽出する第１解析処理を、前記適用すべき解析処理として決定し、
前記特定された読取部が前記原稿を搬送させて前記原稿の画像を読み取る第２読取部であることを含む第２条件が満たされる場合には、前記読み取られた画像から第２種領域を抽出する第２解析処理を、前記適用すべき解析処理として決定する、
制御装置。
【請求項２】
請求項１に記載の制御装置であって、
前記読み取られた画像の色を表す色の値を調整する色変換のために適用すべき色変換プロファイルを決定するプロファイル決定部を含み、
前記プロファイル決定部は、
前記第１種領域と前記第２種領域とのいずれとも異なる特定種類の領域に適用すべき色変換プロファイルとして、第１種色変換プロファイルを決定し、
前記第１種領域に適用すべき色変換プロファイルとして、前記第１種色変換プロファイルとは異なる第２種色変換プロファイルを決定する、
制御装置。
【請求項３】
請求項２に記載の制御装置であって、
前記第２種色変換プロファイルは、前記第２種色変換プロファイルによって前記色変換の前に特定の色域に含まれる第１色の値に対応付けられる前記色変換の後の色の値が、前記第１種色変換プロファイルによって前記第１色の値に対応付けられる前記色変換の後の色の値と異なるように、構成されている、
制御装置。
【請求項４】
請求項１ないし３のいずれかに記載の制御装置であって、
前記読み取られた画像の色を表す色の値を調整する色変換のために適用すべき色変換プロファイルを決定するプロファイル決定部を含み、
前記プロファイル決定部は、
前記第１種領域と前記第２種領域とのいずれとも異なる特定種類の領域に適用すべき色変換プロファイルとして、第１種色変換プロファイルを決定し、
前記第２種領域に適用すべき色変換プロファイルとして、前記第１種色変換プロファイルとは異なる第３種色変換プロファイルを決定する、
制御装置。
【請求項５】
請求項４に記載の制御装置であって、
前記第３種色変換プロファイルは、前記第３種色変換プロファイルによって前記色変換の前の第２色の値に対応付けられる前記色変換の後の色の値と、前記第１種色変換プロファイルによって前記第２色の値に対応付けられる前記色変換の後の色の値と、の間の差が、前記第２色の彩度が高いほど大きくなるように、構成されている、
制御装置。
【請求項６】
請求項１ないし５のいずれかに記載の制御装置であって、
前記特定部は、前記画像の読み取りのために指示された、画像を読み取るべき領域のサイズを特定するサイズ特定部を含み、
前記第１条件は、前記特定された読取部が前記第１読取部であり、かつ、前記特定されたサイズが所定サイズ未満であることを含み、
前記解析決定部は、
前記特定された読取部が前記第１読取部であり、かつ、前記特定されたサイズが前記所定サイズ以上であることを含む第３条件が満たされる場合には、前記第１解析処理と前記第２解析処理とを、前記適用すべき解析処理として決定する、
制御装置。
【請求項７】
請求項６に記載の制御装置であって、
前記第３条件は、さらに、前記読み取られた画像に対する前記第２種領域の割合が基準割合以下であることを含む、
制御装置。
【請求項８】
請求項１ないし７のいずれかに記載の制御装置であって、
前記読み取られた画像の色を表す色の値を調整する色変換のために適用すべき色変換プロファイルを決定するプロファイル決定部を含み、
前記特定された読み取り条件が、第１読み取り条件である場合には、
前記解析決定部は、前記適用すべき解析処理を決定せずに、
前記プロファイル決定部は、前記読み取られた画像の全体に適用すべき色変換プロファイルとして、第１種色変換プロファイルを決定し、
前記特定された読み取り条件が、第２読み取り条件である場合には、
前記解析決定部は、前記適用すべき解析処理を決定し、
前記プロファイル決定部は、前記解析処理によって抽出された領域に適用すべき色変換プロファイルを決定する、
制御装置。
【請求項９】
請求項１ないし８のいずれかに記載の制御装置であって、
前記読み取られた画像の色を表す色の値を調整する色変換のために適用すべき色変換プロファイルを決定するプロファイル決定部を含み、
前記プロファイル決定部は、前記適用すべき色変換プロファイルを、前記解析処理の結果に応じて生成するプロファイル生成部を含む、
制御装置。
【請求項１０】
原稿の画像を読み取る複数の読取部を有する読取装置によって読み取られた画像の処理を制御する機能をコンピュータに実現させるためのプログラムであって、
原稿の画像の読み取りのために指示された読み取り条件を特定する特定機能と、
前記特定された読み取り条件に応じて、読み取られた画像に適用すべき解析処理を決定する解析決定機能と、
をコンピュータに実現させ、
前記特定機能は、複数の読取部の中から前記原稿の画像の読み取りを指示された読取部を特定する機能を含み、
前記解析決定機能は、
前記特定された読取部が前記原稿を静止させて前記原稿の画像を読み取る第１読取部であることを含む第１条件が満たされる場合には、前記読み取られた画像から第１種領域を抽出する第１解析処理を、前記適用すべき解析処理として決定する機能と、
前記特定された読取部が前記原稿を搬送させて前記原稿の画像を読み取る第２読取部であることを含む第２条件が満たされる場合には、前記読み取られた画像から第２種領域を抽出する第２解析処理を、前記適用すべき解析処理として決定する機能と、
を含む、プログラム。
【発明の詳細な説明】
【技術分野】
【０００１】
本発明は、原稿を読み取る読取装置によって読み取られた画像の処理に関するものである。
【背景技術】
【０００２】
従来から、スキャナ等の画像読取装置によって読み取られた画像に対して種々の処理が行われている。例えば、原稿を読み取って得られた画像を解析することによって原稿の種類（例えば、文字、網点、印画紙写真）を判定し、判定された種類に応じて、画像処理に用いる設定値であるテーブルやパラメータを変更する技術が提案されている。
【先行技術文献】
【特許文献】
【０００３】
【特許文献１】特開２００９−１８２９３０号公報
【特許文献２】特開２０１２−１９４８３号公報
【特許文献３】特開２００８−８７２２４号公報
【特許文献４】特開２００１−１１１８１４号公報
【発明の概要】
【発明が解決しようとする課題】
【０００４】
読み取られた画像は種々の種類の領域を含み得るので、読み取られた画像を適切に解析することは容易ではなかった。このような問題は、画像の解析に限らず、解析結果を利用する画像処理に共通する問題であった。
【０００５】
本発明の主な利点は、解析処理を含む画像処理を、読み取られた画像に応じて、適切に決定できる技術を提供することである。
【課題を解決するための手段】
【０００６】
本発明は、上述の課題の少なくとも一部を解決するためになされたものであり、以下の適用例として実現することが可能である。
【０００７】
［適用例１］原稿の画像を読み取る複数の読取部を有する読取装置によって読み取られた画像の処理を制御する制御装置であって、原稿の画像の読み取りのために指示された読み取り条件を特定する特定部と、前記特定された読み取り条件に応じて、読み取られた画像に適用すべき解析処理を決定する解析決定部と、を備え、前記特定部は、複数の読取部の中から前記原稿の画像の読み取りを指示された読取部を特定する読取特定部を含み、前記解析決定部は、前記特定された読取部が前記原稿を静止させて前記原稿の画像を読み取る第１読取部であることを含む第１条件が満たされる場合には、前記読み取られた画像から第１種領域を抽出する第１解析処理を、前記適用すべき解析処理として決定し、前記特定された読取部が前記原稿を搬送させて前記原稿の画像を読み取る第２読取部であることを含む第２条件が満たされる場合には、前記読み取られた画像から第２種領域を抽出する第２解析処理を、前記適用すべき解析処理として決定する、制御装置。
この構成によれば、画像の読み取りに利用される読取部が、複数の読取部の中から、原稿の画像の種類に応じて指示される場合に、解析処理を含む画像処理を、読み取られた画像に応じて、適切に決定できる。
【０００８】
なお、本発明は、種々の形態で実現することが可能であり、例えば、制御方法および制御装置、画像処理方法および画像処理装置、それらの方法または装置の機能を実現するためのコンピュータプログラム、そのコンピュータプログラムを記録した記録媒体（例えば、一時的ではない記録媒体）、等の形態で実現することができる。
【図面の簡単な説明】
【０００９】
【図１】本発明の一実施例としての複合機を示す説明図である。
【図２】画像データ生成処理のフローチャートである。
【図３】設定項目と設定項目毎の選択肢との表である。
【図４】読み取られた画像の例を示す概略図である。
【図５】読取設定と解析処理の要否との対応関係の一例を示す表である。
【図６】読取設定と解析処理の要否との対応関係の一例を示す表である。
【図７】読取設定と手順との対応関係の一例を示す表である。
【図８】領域決定処理（解析処理）のフローチャートである。
【図９】スキャン画像ＲＩの解析結果の一例を示す概略図である。
【図１０】プロファイル決定のフローチャートである。
【図１１】第１種プロファイルＰＦｓの概略図である。
【図１２】第２種プロファイルＰＦｐの概略図である。
【図１３】Ｌａｂ色立体Ｃｃの断面の概略図である。
【図１４】彩度ｓｇと、彩度差ｄＳＴと、の関係を示す概略図である。
【図１５】第３種プロファイルＰＦｇ（出力プロファイルＰＦ２ｇ）を生成するための演算式の一例である。
【図１６】グリッド値ｇと基準調整量Ａｃとの関係を示すグラフである。
【図１７】４つの分配ベクトルＶａ、Ｖｂ、Ｖｃ、Ｖｄを説明する表である。
【図１８】第３種プロファイルＰＦｇの生成方法の一例を示す概略図である。
【発明を実施するための形態】
【００１０】
Ａ．第１実施例：
図１は、本発明の一実施例としての複合機を示す説明図である。この複合機１００は、複合機１００の全体を制御するＣＰＵ１１０と、ＤＲＡＭ等の揮発性記憶装置１２０と、フラッシュメモリ等の不揮発性記憶装置１３０と、表示部１４０と、タッチパネル等の操作部１５０と、スキャナ１６０と、プリンタ１７０と、他の装置（例えば、ＵＳＢフラッシュメモリ）を接続するためのインタフェース１８０と、を含んでいる。
【００１１】
スキャナ１６０は、第１読取部１６２と、第２読取部１６４と、を含んでいる。第１読取部１６２と第２読取部１６４とは、図示しない１つの光学センサ（例えば、ＣＩＳ（Contact Image Sensor））を共有している。ただし、第１読取部１６２が、第１光学センサを含み、第２読取部１６４が、第１光学センサとは異なる第２光学センサを含んでも良い。
【００１２】
第１読取部１６２は、原稿を載せるための平らな透明板を含んでいる（「フラットベッド」とも呼ばれる。以下、第１読取部１６２を「ＦＢ」とも呼ぶ）。光学センサは、透明板上に静止する原稿を、移動しながら透明板を通じて光学的に読み取ることによって、原稿の画像（原稿によって表される画像）を表す信号を出力する。原稿は、例えば、画像（文字、線図、写真等）が表面に記録されたシート（例えば、紙やフィルム）である。
【００１３】
第２読取部１６４は、自動原稿搬送部（ＡＤＦ（Auto Document Feeder））を含んでいる（以下、第２読取部１６４を「ＡＤＦ」とも呼ぶ）。自動原稿搬送部は、ユーザによって準備された複数枚の原稿を、モータの動力を用いて、１枚ずつ自動的に搬送する。光学センサは、所定位置に静止し、自動原稿搬送部によって搬送される原稿を光学的に読み取ることによって、原稿の画像を表す信号を出力する。また、第２読取部１６４は、原稿のサイズを検出するサイズセンサを含んでいる。
【００１４】
不揮発性記憶装置１３０は、プログラム１３２と、色データ１３４と、色変換プロファイルＰＦｓ、ＰＦｇと、を格納している（以下、「色変換プロファイル」を、単に「プロファイル」とも呼ぶ）。
【００１５】
ＣＰＵ１１０は、プログラム１３２を実行することによって、処理制御部２００と、画像処理部３００と、スキャナ制御部４１０と、プリンタ制御部４２０と、として機能する。処理制御部２００は、特定部２０２と、解析決定部２４０と、プロファイル決定部２５０と、を含んでいる。特定部２０２は、読取特定部２１０と、サイズ特定部２２０と、データ条件特定部２３０と、を含んでいる。プロファイル決定部２５０は、プロファイル生成部２５２を含んでいる。画像処理部３００は、解析部３１０と、色変換部３２０と、を含んでいる。これらの処理部の機能については、後述する。
【００１６】
図２は、画像データ生成処理のフローチャートである。画像データ生成処理は、スキャナ１６０（図１）によって読み取られた原稿の画像を表す画像データを生成する。ユーザが表示部１４０を操作することによって、この処理が開始する。
【００１７】
最初のステップＳ１００では、ユーザが、操作部１５０（図１）を操作することによって、読取設定（読み取り条件）を入力（指示）する。スキャナ制御部４１０は、操作部１５０からの信号を利用して、入力された読取設定を取得し、取得した読取設定を表す設定データを揮発性記憶装置１２０に格納する。
【００１８】
図３は、設定項目と、設定項目毎の選択肢と、の表である。設定項目は、「データサイズＤＳ（圧縮率ＣＲ）」と「読取解像度ＲＳ」と「ファイルフォーマットＦＦ」と「指示読取部ＲＤ」と「読取領域サイズＡＳ」とである。ユーザは、設定項目毎に、複数の選択肢の中から１つの選択肢を選択（指定）できる。
【００１９】
データサイズＤＳ（圧縮率ＣＲ）は、生成される画像データのサイズ（圧縮率）を示している。選択肢は、「大（低圧縮率）」と「中（中圧縮率）」と「小（高圧縮率）」とである。読取解像度ＲＳは、スキャナ１６０による画像読取の解像度である。選択肢は、「６００」と「３００」と「２００」と「１００」とである（単位は、ｄｐｉ（dot per inch））。ファイルフォーマットＦＦは、生成される画像データのフォーマットを示している。選択肢は、「ＪＰＥＧ」と「ＸＰＳ」と「ＰＤＦ」と「ＰＤＦ／Ａ」と「署名付ＰＤＦ」と「暗号化ＰＤＦ」と「検索可能ＰＤＦ」と「高圧縮ＰＤＦ」とである。「ＰＤＦ／Ａ」は、長期保存のためのＰＤＦである（例えば、カラープロファイルとフォントデータとがＰＤＦデータファイルに埋め込まれている）。「署名付ＰＤＦ」は、改ざんが行われていないこと等を確認するために、電子署名が付与されたＰＤＦである。「暗号化ＰＤＦ」は、データがパスワードによって暗号化されたＰＤＦである。「検索可能ＰＤＦ」は、画像中のテキストを検索できるように、テキストデータが埋め込まれたＰＤＦである。「高圧縮ＰＤＦ」は、文書画像が、前景画像成分（例えば、文字を表す）とそれ以外の成分とに分離され、成分毎に圧縮が行われることによって生成される、圧縮率の高いＰＤＦである。指示読取部ＲＤは、原稿の画像の読み取りを指示された読取部を示している。選択肢は、「第１読取部（フラットベッド）」と「第２読取部（自動原稿搬送）」とである。読取領域サイズＡＳは、第１読取部１６２（図２）の透明板上の読取領域のサイズを示している。選択肢は、「Ｌ判」と「Ａ５」と「Ａ４」と「Ａ３」とである（Ｌ判＜Ａ５＜Ａ４＜Ａ３）。画像を読み取るべき領域は、原稿のサイズ毎に、予め決められている。通常は、読取領域サイズＡＳとしては、原稿のサイズと同じサイズが選択される。ただし、原稿のサイズとは異なるサイズも選択され得る。例えば、原稿のサイズよりも小さいサイズが選択された場合には、原稿内の一部の領域が、読み取られる。なお、第２読取部１６４が選択される場合には、スキャナ制御部４１０は、上述のサイズセンサからの信号を利用することによって、原稿のサイズ（すなわち、画像を読み取るべき領域）を自動的に決定する。なお、設定項目と選択肢とは、図３に示す例に限らず、種々の項目と選択肢とを採用可能である。
【００２０】
図２の次のステップＳ１１０では、スキャナ制御部４１０（図１）は、読取設定に従ってスキャナ１６０を制御する。スキャナ１６０は、原稿を読み取り、読み取った原稿の画像を表す信号を出力する。スキャナ制御部４１０は、スキャナ１６０からの信号を利用することによって、読み取られた画像（スキャン画像と呼ぶ）を表す画像データ（スキャンデータと呼ぶ）を生成し、生成したスキャンデータを、揮発性記憶装置１２０に格納する。スキャンデータは、マトリクス状に配置された複数の画素毎の色を表している。各画素の色は、例えば、赤Ｒと緑Ｇと青Ｂとの色値（例えば、２５６段階の値）で表されている。
【００２１】
図４は、読み取られた画像（スキャン画像ＲＩ）の例を示す概略図である。スキャン画像ＲＩは、背景ＢＧと、３つのオブジェクト（人物ＯＢ１と、グラデーション画像ＯＢ２と、棒グラフＯＢ３）を表している。人物ＯＢ１の顔の肌を表す１つの画素ＰＸ１（肌色画素ＰＸ１と呼ぶ）の色値Ｃｉ１は、グラデーション画像ＯＢ２を表す１つの画素ＰＸ２（グラフィック画素ＰＸ２と呼ぶ）の色値Ｃｉ２と、同じであることとする。
【００２２】
図２の次のステップＳ１２０では、特定部２０２（図１）は、揮発性記憶装置１２０から設定データ（読取設定）を読み出して、読取設定を特定する。具体的には、読取特定部２１０は、指示読取部ＲＤを特定し、サイズ特定部２２０は、読取領域サイズＡＳを特定し、データ条件特定部２３０は、他の項目（データサイズＤＳと、読取解像度ＲＳと、ファイルフォーマットＦＦ）を特定する。解析決定部２４０は、特定された読取設定に応じて、画像解析（解析処理）の要否と画像解析の手順とを決定する。本実施例では、人物の顔の肌を表す領域を抽出する第１解析処理と、グラフィックを表す領域を抽出する第２解析処理と、が実行され得る（図２：ステップＳ１３０）。グラフィックは、イラスト、表、グラフ、線図、模様等の描画によって表された画像である。
【００２３】
後述するように、解析処理は、最終的に生成される画像データの画質（例えば、色の見栄えの良さ）を向上するために、行われる。また、ユーザは、画質の重要性に応じて、読取設定を決定する可能性が高い。従って、解析決定部２４０は、読取設定に応じて、画像解析を行うか否かを決定する。画質の重要性と読取設定との関係は、例えば、以下の通りである。データサイズＤＳが大きいほど（圧縮率ＣＲが低いほど）、画質が重要である可能性が高い。読取解像度ＲＳが高いほど、画質が重要である可能性が高い。ファイルフォーマットＦＦが、汎用のフォーマット（例えば、ＪＰＥＧ、ＸＰＳ、ＰＤＦ、高圧縮ＰＤＦ）である場合には、特定の用途のためのフォーマット（例えば、ＰＤＦ／Ａ、署名付ＰＤＦ、暗号化ＰＤＦ、検索可能ＰＤＦ）と比べて、画質が重要である可能性が高い。第１読取部１６２（ＦＢ）が選択される場合には、第２読取部１６４（ＡＤＦ）が選択される場合と比べて、画質が重要である可能性が高い。
【００２４】
図５、図６は、読取設定と解析処理の要否との対応関係の一例を示す表である。図５（Ａ）に示すように、ファイルフォーマットＦＦが、「ＰＤＦ／Ａ」、「署名付ＰＤＦ」、「暗号化ＰＤＦ」、「検索可能ＰＤＦ」のいずれかである場合には、判定結果は「解析しない」に設定される。図５（Ｂ）に示すように、読取解像度ＲＳが「１００」である場合には、判定結果は、「解析しない」に設定される。図５（Ｃ）に示すように、データサイズＤＳ（圧縮率ＣＲ）が「小（高圧縮率）」である場合には、判定結果は、「解析しない」に設定される。
【００２５】
図６（Ａ）〜図６(Ｅ)は、読取解像度ＲＳとデータサイズＤＳ（圧縮率ＣＲ）との組み合わせに応じて判定結果が決まる５つの場合Ｃ１〜Ｃ５を示している。図示するように、５つの場合Ｃ１〜Ｃ５の間では、指示読取部ＲＤとファイルフォーマットＦＦとの組み合わせが異なっている。いずれの場合Ｃ１〜Ｃ５も、「解析する」の判定結果は、複数の組み合わせの中の、読取解像度ＲＳが高く、かつ、データサイズＤＳが大きい（圧縮率ＣＲが低い）一部の組み合わせから、導出される。「解析する」の判定結果が導出される組み合わせは、場合Ｃ１〜Ｃ５毎に決定されている。
【００２６】
図２のステップＳ１２０において、「解析する」の判定結果が導出された場合には、解析決定部２４０（図１）は、読取設定に応じて、解析処理の手順を決定する。図７は、読取設定と手順との対応関係の一例を示す表である。図７に示されるように、解析処理の手順は、第１の手順〜第４の手順を含む。各手順は、画像内の人物の顔領域を解析するための第１解析処理と、画像内のグラフィック領域を解析するための第２解析処理と、の少なくとも一方を含む。指示読取部ＲＤが「第２読取部１６４（ＡＤＦ）」である場合には、第２手順が選択される（第１解析処理（人物）を含まずに第２解析処理（グラフィック）を含む）。指示読取部ＲＤが「第１読取部１６２（ＦＢ）」である場合には、読取領域サイズＡＳに応じて、手順が選択される。読取領域サイズＡＳが「Ｌ判（Ａ５未満）」である場合には、第１手順が選択される（第２解析処理（グラフィック）を含まずに、第１解析処理（人物）を含む）。読取領域サイズＡＳが「Ａ５」以上である場合には、スキャン画像ＲＩ中のグラフィック領域の割合（以下「グラフィック割合Ｒｇｒ」と呼ぶ）に応じて、手順が選択される（グラフィック割合Ｒｇｒの詳細については、後述する）。グラフィック割合Ｒｇｒが、所定の基準割合Ｒｔｈ以下である場合には、第３手順が選択される（第１解析処理（人物）と第２解析処理（グラフィック）とを含む）。グラフィック割合Ｒｇｒが基準割合Ｒｔｈよりも大きい場合には、第４手順が選択される（第１解析処理（人物）を含まずに、第２解析処理（グラフィック）を含む）。なお、「解析しない」の判定結果が導出された場合には、解析決定部２４０は、解析手順（すなわち、適用すべき解析処理）を決定せずに、ステップＳ１２０を終了する。
【００２７】
図２の次のステップＳ１３０では、解析部３１０（図１）は、解析決定部２４０によって決定された手順に従って、領域決定処理（解析処理）を実行する。図８は、領域決定処理（解析処理）のフローチャートである。最初のステップＳ２００では、解析部３１０は、揮発性記憶装置１２０から、スキャンデータを取得する。次のステップＳ２０３では、解析部３１０は、解析処理の要否判定の結果が「解析する」であるか否かを判定する。要否判定の結果が「解析しない」である場合には（Ｓ２０３：Ｎｏ）、解析部３１０は、図８の処理を終了する。
【００２８】
要否判定の結果が「解析する」である場合には（Ｓ２０３：Ｙｅｓ）、次のステップＳ２０６で、解析部３１０は、解析決定部２４０によって決定された手順（解析処理の手順）を特定する。決定された手順が第１手順（図７）である場合には、解析部３１０は、ステップＳ２１０で、第１解析処理を実行する。
【００２９】
第１解析処理では、解析部３１０は、先ず、スキャンデータを解析することによって、スキャン画像ＲＩから人物の顔領域を抽出する。例えば、図４のスキャン画像ＲＩからは、人物ＯＢ１の顔を表す領域が、顔領域として抽出され得る。顔領域の抽出処理としては、公知の処理を採用可能である。例えば、スキャン画像ＲＩからエッジ画素を検出し、検出されたエッジ画素のパターンから、所定の顔パターンと類似する部分を、顔領域として抽出する処理を採用可能である。この代わりに、所定の器官画像（例えば、目や口を表す画像）を用いたパターンマッチングによって、顔領域を抽出する処理を採用可能である。
【００３０】
次に、解析部３１０は、検出された顔領域の中から、色値が所定の肌色範囲（肌色域）内にある画素（「肌色画素」と呼ぶ）の全体を、肌色領域として抽出する。例えば、図４のスキャン画像ＲＩからは、人物ＯＢ１の顔の中の肌色の領域が、肌色領域として抽出され得る。肌色範囲（肌色域）は、人物の肌を表す画素の色値が取り得る範囲（色域）である。肌色範囲は、例えば、赤Ｒの範囲と緑Ｇの範囲と青Ｂの範囲とによって定義される。
【００３１】
ステップＳ２１０（図８）の次のステップＳ２４０では、解析部３１０は、スキャン画像ＲＩ内の未抽出の領域（肌色領域を除く残りの領域）を通常領域として抽出する。そして、解析部３１０は、解析結果（領域抽出結果）を揮発性記憶装置１２０に格納し、図８の処理（第１手順）を終了する。
【００３２】
ステップＳ２０６で特定された手順が第２手順（図７）である場合には、解析部３１０は、ステップＳ２２０で、第２解析処理を実行する。第２解析処理では、解析部３１０は、スキャンデータを解析することによって、スキャン画像ＲＩから多角形を表す領域を、グラフィック領域として、抽出する。例えば、図４のスキャン画像ＲＩからは、グラデーション画像ＯＢ２の領域と、棒グラフＯＢ３の領域とが、グラフィック領域として抽出され得る。多角形を表す領域の抽出処理としては、公知の処理を採用可能である。例えば、ハフ（Hough）変換を用いる処理を採用可能である。
【００３３】
ステップＳ２２０の次のステップＳ２４０では、解析部３１０は、未抽出の領域（グラフィック領域を除く残りの領域）を、通常領域として抽出する。解析部３１０は、解析処理結果（領域抽出結果）を揮発性記憶装置１２０に格納し、図８の処理（第２手順）を終了する。
【００３４】
次に、第３と第４の手順とについて説明する。図７で説明したように、グラフィック割合Ｒｇｒに応じて、第３と第４の手順とから手順が選択される。グラフィック割合Ｒｇｒは、スキャン画像ＲＩに対するグラフィック領域の割合（面積割合、すなわち、画素数割合）である。図２のステップＳ１２０では、グラフィック割合Ｒｇｒが未算出であるので、指示読取部ＲＤ＝第１読取部１６２（ＦＢ）、かつ、読取領域サイズＡＳ≧Ａ５である場合には、解析決定部２４０は、適用すべき手順が第３手順または第４手順である、と仮判定する。この場合、処理は、図８のステップＳ２０６からステップＳ２３０へ移行する。
【００３５】
ステップＳ２３０では、解析部３１０は、第２解析処理を実行する。第２解析処理は、ステップＳ２２０で実行される第２解析処理と同じである。次のステップＳ２３３では、解析決定部２４０は、ステップＳ２３０で抽出されたグラフィック領域を利用してグラフィック割合Ｒｇｒを算出し、グラフィック割合Ｒｇｒが所定の基準割合Ｒｔｈ以下であるか否かを判定する。グラフィック割合Ｒｇｒが基準割合Ｒｔｈ以下であることは、スキャン画像ＲＩ内のグラフィック領域を除いた残りの領域に、人物（肌色領域）が含まれている可能性が高いことを、示している。基準割合Ｒｔｈとしては、画質に大きな影響を与え得る大きさの肌色領域がスキャン画像ＲＩに含まれ得るような値（例えば、７５％）を採用することが好ましい。また、基準割合Ｒｔｈが、読取設定に応じて変化してもよい。例えば、解析決定部２４０は、読取領域サイズＡＳが大きいほど大きい値を、基準割合Ｒｔｈとして利用してもよい。
【００３６】
グラフィック割合Ｒｇｒが基準割合Ｒｔｈ以下である場合（Ｓ２３３：Ｙｅｓ）、解析決定部２４０は、第３手順（図７）を選択する。この場合、解析部３１０は、ステップＳ２３６で、スキャン画像ＲＩからグラフィック領域を除いた残りの領域に対して、第１解析処理を実行する。第１解析処理は、ステップＳ２１０で実行される第１解析処理と、同じである。
【００３７】
ステップＳ２３６の次のステップＳ２４０では、解析部３１０は、未抽出の領域（グラフィック領域と肌色領域とを除く残りの領域）を、通常領域として抽出する。解析部３１０は、解析結果（領域抽出結果）を揮発性記憶装置１２０に格納して、図８の処理（第３手順）を終了する。
【００３８】
グラフィック割合Ｒｇｒが基準割合Ｒｔｈよりも大きい場合には（Ｓ２３３：Ｎｏ）、解析決定部２４０は、第４手順を選択する。この場合、処理は、ステップＳ２４０に移行する。第４手順のステップＳ２４０では、解析部３１０は、未抽出の領域（グラフィック領域を除く残りの領域）を、通常領域として抽出する。解析部３１０は、解析結果（領域抽出結果）を揮発性記憶装置１２０に格納して、図８の処理（第４手順）を終了する。
【００３９】
図９は、図４のスキャン画像ＲＩの解析結果の一例を示す概略図である。図９では、第３手順が選択されたと仮定している。第３手順では、上述したように、第１解析処理(人物)と、第２解析処理(グラフィック)と、が実行される。図示するように、人物ＯＢ１の顔の肌色の部分が、肌色領域ＦＡとして抽出されている。また、グラデーション画像ＯＢ２を表す領域が、第１のグラフィック領域ＧＡ１として抽出され、棒グラフＯＢ３を表す領域が、第２のグラフィック領域ＧＡ２として抽出されている。残りの領域は、通常領域ＳＡとして抽出されている。顔を表す領域の内の肌色ではない領域（例えば、目を表す領域と口を表す領域）は、通常領域ＳＡに含まれている。
【００４０】
図２の次のステップＳ１４０では、プロファイル決定部２５０が、領域の種類毎に適用すべきプロファイルを決定する。図１０は、プロファイル決定のフローチャートである。プロファイル決定部２５０は、通常領域用の第１種プロファイルＰＦｓを決定し（Ｓ３００）、肌色領域用の第２種プロファイルＰＦｐを決定し（Ｓ３１０）、グラフィック領域用の第３種プロファイルＰＦｇを決定する（Ｓ３２０）。肌色領域が抽出されなかった場合には、ステップＳ３１０は省略される。グラフィック領域が抽出されなかった場合には、ステップＳ３２０は省略される。
【００４１】
各プロファイルＰＦｓ、ＰＦｇ、ＰＦｐは、スキャンデータによって表される色値と、色変換後の色値と、の間の対応関係を定めている。第１種プロファイルＰＦｓは、通常領域が適切な色で表現されるように、決定される。第２種プロファイルＰＦｐは、肌色領域が好ましい色で表現されるように、決定される。第３種プロファイルＰＦｇは、グラフィック領域が鮮やかに表現されるように、決定される。詳細については、後述する。
【００４２】
図２の次のステップＳ１５０で、色変換部３２０（図１）は、揮発性記憶装置１２０を参照して領域の抽出結果を特定し、領域の種類毎のプロファイルを利用して色変換処理を行う。この色変換によって、色が調整される。図９には、領域毎に適用されるプロファイルが示されている。通常領域ＳＡには、第１種プロファイルＰＦｓが適用され、肌色領域ＦＡには、第２種プロファイルＰＦｐが適用され、グラフィック領域ＧＡ１、ＧＡ２には、第３種プロファイルＰＦｇが適用される。肌色領域ＦＡの色値は、好ましい色を表す色値に変換され、グラフィック領域ＧＡ１、ＧＡ２の色値は、鮮やかな色値に変換される。
【００４３】
例えば、図４で説明したように、肌色画素ＰＸ１の色変換前の色値Ｃｉ１は、グラフィック画素ＰＸ２の色変換前の色値Ｃｉ２と同じである。しかし、図９に示すように、肌色画素ＰＸ１の色変換後の色値Ｃｏ１は、グラフィック画素ＰＸ２の色変換後の色値Ｃｏ２とは、異なっている。特に、グラフィック画素ＰＸ２の色変換後の彩度ＳＴ２は、肌色画素ＰＸ１の色変換後の彩度ＳＴ１よりも、高い。このように、１枚のスキャン画像ＲＩが、人物とグラフィックとを含む場合に、色変換後の画像データは、人物を好ましい色で表現しつつ、グラフィックを鮮やかに表現することができる。
【００４４】
色変換部３２０は、スキャン画像ＲＩの全ての画素に色変換を行うことによって、色変換後の画像データを生成する。色変換部３２０は、生成した画像データを、例えば、不揮発性記憶装置１３０に格納する。色変換の完了に応じて、図２の処理は終了する。ユーザは、生成された画像データを、任意に利用することができる。例えば、色変換部３２０は、ユーザの指示に応じて、インタフェース１８０に接続された記憶装置（図示せず）に、色変換後の画像データを格納する。また、プリンタ制御部４２０は、色変換後の画像データを利用して、画像を印刷してもよい。
【００４５】
図２のステップＳ１２０の要否判定の結果が「解析しない」である場合には、図１０のステップＳ３００では、プロファイル決定部２５０は、スキャン画像ＲＩの全体に適用すべきプロファイルとして、第１種プロファイルＰＦｓを決定し、ステップＳ３１０、Ｓ３２０を省略する。図２のステップＳ１５０では、色変換部３２０は、スキャン画像ＲＩの全体に、第１種プロファイルＰＦｓを適用する。
【００４６】
次に、プロファイルの詳細について説明する。図１１は、第１種プロファイルＰＦｓの概略図である。入力色値Ｃｉは、スキャン画像ＲＩの画素の色値であり、出力色値Ｃｏは、色変換後の色値である。本実施例では、入力色値Ｃｉと出力色値Ｃｏとは、ＲＧＢ色空間で表されている。第１種プロファイルＰＦｓは、入力プロファイルＰＦ１と、出力プロファイルＰＦ２ｓ（以下、「第１種出力プロファイルＰＦ２ｓ」とも呼ぶ）と、を含んでいる。入力プロファイルＰＦ１は、入力色値ＣｉのＲＧＢ色空間とＬａｂ色空間（Ｌ＊、ａ＊、ｂ＊の３成分）とを対応付けている。入力プロファイルＰＦ１は、いわゆる、スキャナ１６０のＩＣＣプロファイルである。Ｌ＊は、例えば、０〜２５５の範囲内の値で表され、ａ＊は、例えば、−１２８〜１２８の範囲内の値で表され、ｂ＊は、例えば、−１２８〜１２８の範囲内の値で表されている。出力プロファイルＰＦ２ｓは、Ｌａｂ色空間と出力色値ＣｏのＲＧＢ色空間とを対応付けている。出力ＲＧＢ色空間では、赤Ｒと緑Ｇと青Ｂの各色成分は、例えば、０〜２５５の範囲内の値で表されている。出力プロファイルＰＦ２ｓは、通常領域が適切な色で表現されるように、予め決定されている。図１０のステップＳ３００では、通常領域に適用すべきプロファイルとして、予め準備された第１種プロファイルＰＦｓが、決定される。
【００４７】
各プロファイルＰＦ１、ＰＦ２ｓは、例えば、ルックアップテーブルである。出力プロファイルＰＦ２ｓは、Ｌａｂ色空間内に配置された複数のグリッド点毎に、「Ｌ＊、ａ＊、ｂ＊」と「Ｒ、Ｇ、Ｂ」との対応関係を定めている。複数のグリッド点は、例えば、Ｌａｂ色空間を複数の部分に分割することによって、得られる。図１１の実施例では、Ｌ＊の範囲の分割数と、ａ＊の範囲の分割数と、ｂ＊の範囲の分割数とが、それぞれ、Ｎｇ（例えば、１７）である。なお、２つのプロファイルＰＦ１、ＰＦ２ｓを総合して得られる１つのルックアップテーブルが、第１種プロファイルＰＦｓとして採用されてもよい。
【００４８】
次に、肌色領域用の第２種プロファイルＰＦｐについて説明する。第２種プロファイルＰＦｐは、図１１の第１種出力プロファイルＰＦ２ｓを、第２種出力プロファイルＰＦ２ｐに置換することによって、生成される。プロファイル生成部２５２（図１）は、スキャン画像毎に、第２種出力プロファイルＰＦ２ｐを生成する。
【００４９】
図１２は、第２種プロファイルＰＦｐの概略図である。図中には、Ｌａｂ色立体Ｃｃが示されている。色点Ｃｐは、肌色領域に含まれる画素の色点を示している。色点Ｃｐは、入力プロファイルＰＦ１（図１１）を利用することによって算出される。図示された分布領域Ａｘは、全ての色点Ｃｐを含む最小の直方体領域である。プロファイル生成部２５２は、スキャンデータを解析することによって、分布領域Ａｘを特定する。図１２の例では、分布領域Ａｘ内では、Ｌ１≦Ｌ＊≦Ｌ２、ａ１≦ａ＊≦ａ２、ｂ１≦ｂ＊≦ｂ２である。
【００５０】
プロファイル生成部２５２は、特定した分布領域Ａｘの外にはグリッド点を配置せずに、分布領域Ａｘの内部に、図１１の第１種出力プロファイルＰＦ２ｓと同数のグリッド点を配置する。Ｌ＊の範囲の分割数と、ａ＊の範囲の分割数と、ｂ＊の範囲の分割数とは、それぞれ、Ｎｇ（第１種出力プロファイルＰＦ２ｓの分割数Ｎｇと同じ）である。この結果、第２種出力プロファイルＰＦ２ｐは、第１種出力プロファイルＰＦ２ｓと比べて、入出力の対応関係を細かく定めることができる（肌色領域の色を細かく調整できる）。なお、分布領域Ａｘの内部に配置されるグリッド点の総数（「第１グリッド数」と呼ぶ）は、図１１の第１種出力プロファイルＰＦ２ｓのグリッド数（「第２グリッド数」と呼ぶ）と異なっていてもよい。例えば、第１グリッド数が第２グリッド数よりも多くてもよく、この代わりに、第１グリッド数が第２グリッド数よりも少なくても良い。また、第１グリッド数は、図１１の第１種出力プロファイルＰＦ２ｓの複数のグリッドのうちの分布領域Ａｘ内に配置されたグリッドの数よりも、多いことが好ましい。こうすれば、第２種出力プロファイルＰＦ２ｐを利用することによって、第１種出力プロファイルＰＦ２ｓを利用する場合と比べて、入出力の対応関係を細かく定めることができる。
【００５１】
プロファイル生成部２５２は、色データ１３４を参照することによって、分布領域Ａｘ内の複数のグリッド点毎に、出力色値を決定する。色データ１３４は、肌色領域のためのＬ＊ａ＊ｂ＊とＲＧＢとの対応関係を定めている。色データ１３４は、例えば、ルックアップテーブルである。プロファイル生成部２５２は、全てのグリッド点の出力色値を決定することによって、第２種出力プロファイルＰＦ２ｐを生成し、第２種出力プロファイルＰＦ２ｐと入力プロファイルＰＦ１とを組み合わせることによって、第２種プロファイルＰＦｐを生成する。
【００５２】
色変換部３２０は、第２種プロファイルＰＦｐを利用することによって、肌色範囲内の色値を、好ましい色値（第１種プロファイルＰＦｓを適用して得られる色値とは異なる色値）に変換することができる。
【００５３】
次に、グラフィック領域用の第３種プロファイルＰＦｇについて、説明する。本実施例では、第３種プロファイルＰＦｇも、予め、決定されている。第３種プロファイルＰＦｇは、第１種プロファイルＰＦｓを適用する場合と比べて、色変換後の彩度が高くなるように構成されている。本実施例では、第３種プロファイルＰＦｇは、図１１の第１種出力プロファイルＰＦ２ｓを、第３種出力プロファイルＰＦ２ｇに置換することによって、生成されている。
【００５４】
図１３は、第３種出力プロファイルＰＦ２ｇの一部のグリッド点ＧＰを含む、Ｌａｂ色立体Ｃｃの断面の概略図である。図中には、Ｌ＊＝５０のａ＊ｂ＊平面が示されている。原点Ｏは、無彩色（ａ＊＝ｂ＊＝０）を示している。図示された例では、分割数Ｎｇは１７である。第１グリッド値ｇａは、グリッド点ＧＰのａ＊の値をグリッドの数で表したものである。第１グリッド値ｇａは「−８」から「８」までの整数である。ａ＊＝０の場合には、ｇａ＝０であり、ａ＊が大きいほどｇａも大きい。第２グリッド値ｇｂは、グリッド点ＧＰのｂ＊の値をグリッドの数で表したものである。ｇｂとｂ＊との関係は、ｇａとａ＊との関係と同じである。
【００５５】
図１４（Ａ）は、図１３のａ＊ｂ＊平面を彩度で区分して得られる９つの領域ｐａ０〜ｐａ８を示している。ここでは、彩度として、第１グリッド値ｇａの絶対値（｜ｇａ｜）と第２グリッド値ｇｂの絶対値（｜ｇｂ｜）とのうちの大きい値（ｍａｘ（｜ｇａ｜、｜ｇｂ｜））を採用している。以下、彩度（ｍａｘ（｜ｇａ｜、｜ｇｂ｜））を、彩度ｓｇと呼ぶ。１つの領域内では、彩度ｓｇは、同じである。
【００５６】
図１４（Ｂ）は、彩度ｓｇと、彩度差ｄＳＴと、の関係を示すグラフである。横軸は、彩度ｓｇを示し、縦軸は、彩度差ｄＳＴを示している。彩度差ｄＳＴは、第３種プロファイルＰＦｇによる色変換後の色値の彩度から、第１種プロファイルＰＦｓによる色変換後の色値の彩度を引いた差分である。彩度差ｄＳＴが大きいほど、同じ色値からの色変換後の２つの色値の間の差、すなわち、第１種プロファイルＰＦｓでの色変換後の色値と、第３種プロファイルＰＦｇでの色変換後の色値と、の差が大きい。色変換後の色値から彩度を算出する方法としては、公知の方法を採用可能である。例えば、Ｒ成分値とＧ成分値とＢ成分値のうちの、最大値から最小値を引いた差分を、彩度として採用可能である。
【００５７】
図示するように、色変換前の彩度ｓｇが大きいほど、色変換後の彩度差ｄＳＴが大きくなるように、第３種プロファイルＰＦｇは構成されている。この結果、色変換部３２０は、第３種プロファイルＰＦｇを利用する場合には、第１種プロファイルＰＦｓを利用する場合よりも、彩度の高い色値をより鮮やかな色値に変換する。
【００５８】
図１３、図１４では、Ｌ＊＝５０の場合を示したが、Ｌ＊が他の値である場合も、同様である。彩度ｓｇと彩度差ｄＳＴとの関係は、色相（例えば、ａ＊の軸からの角度）とＬ＊との組み合わせ毎に異なってもよい。
【００５９】
図１５は、第３種プロファイルＰＦｇ（第３種出力プロファイルＰＦ２ｇ）を生成するための演算式の一例を示している。第３種出力プロファイルＰＦ２ｇは、第１種出力プロファイルＰＦ２ｓの複数のグリッド点毎の出力色値を修正することによって、生成可能である。図中の第１種出力色値Ｃｓ（赤Ｒｓ、緑Ｇｓ、青Ｂｓ）は、第１種出力プロファイルＰＦ２ｓの出力色値を示し、第３種出力色値Ｃｇ（赤Ｒｇ、緑Ｇｇ、青Ｂｇ）は、第３種出力プロファイルＰＦ２ｇの出力色値を示している。２つの出力色値Ｃｓ、Ｃｇは、図１３の同じ対象グリッド点Ｔｃに対応付けられている。
【００６０】
第３種出力色値Ｃｇは、第１種出力色値Ｃｓに、調整量Ａｖを加算することによって、算出される。調整量Ａｖは、基準調整量Ａｃと、分配ベクトル（例えば、ベクトルＶａ、Ｖｃ）と、に応じて算出される。調整量Ａｖは、第１グリッド値ｇａを利用して算出される基準調整量Ａｃ（ｇａ）と、第２グリッド値ｇｂを利用して算出される基準調整量Ａｃ（ｇｂ）と、を含んでいる。
【００６１】
図１６は、グリッド値ｇと基準調整量Ａｃとの関係を示すグラフである。横軸はグリッド値ｇを示し、縦軸は基準調整量Ａｃを示している。グリッド値ｇは、基準調整量Ａｃの算出に利用されるグリッド値（第１グリッド値ｇａ、または、第２グリッド値ｇｂ）である。基準調整量Ａｃは、グリッド値ｇの絶対値のべき乗に比例する。比例係数Ａｃｍは、所定値である。指数γは、１よりも大きい所定値である（例えば、４）。グリッド値ｇがゼロである場合には、基準調整量Ａｃもゼロである。グリッド値ｇがゼロに近い場合には、基準調整量Ａｃもゼロに近い。グリッド値ｇがゼロから遠い場合には、グリッド値ｇがゼロから離れることに応じて基準調整量Ａｃが急上昇する。換言すれば、色変換前の彩度が低い場合には、基準調整量Ａｃがゼロに近く、色変換前の彩度が高い場合には、基準調整量Ａｃが大きい。図中の第７値Ａｃ７は、グリッド値ｇの絶対値が７である場合の基準調整量Ａｃである。
【００６２】
図１７は、４つの分配ベクトルＶａ、Ｖｂ、Ｖｃ、Ｖｄと、３つの色成分ＲＧＢの分配係数と、の関係を示す表である。分配係数は、基準調整量Ａｃに乗じられる係数を示している。例えば、第１分配ベクトルＶａによれば、Ｒ成分の調整量は、０．５＊Ａｃであり、Ｇ成分の調整量は、０．５＊Ａｃであり、Ｂ成分の調整量は、０．０＊Ａｃである（記号「＊」は乗算記号）。第１分配ベクトルＶａは、正値の第２グリッド値ｇｂのための係数を示し、第２分配ベクトルＶｂは、正値の第１グリッド値ｇａのための係数を示し、第３分配ベクトルＶｃは、負値の第１グリッド値ｇａのための係数を示し、第４分配ベクトルＶｄは、負値の第２グリッド値ｇｂのための係数を示している。図１３には、ａ＊ｂ＊平面内の４つの領域Ｑ１〜Ｑ４と利用される分配ベクトルとの以下の関係が示されている。
右上の第１領域Ｑ１（ｇｂ＞０、ｇａ＜０）：Ｖａ、Ｖｃ
左上の第２領域Ｑ２（ｇｂ＜０、ｇａ＜０）：Ｖｃ、Ｖｄ
左下の第３領域Ｑ３（ｇｂ＜０、ｇａ＞０）：Ｖｂ、Ｖｄ
右下の第４領域Ｑ４（ｇｂ＜０、ｇａ＜０）：Ｖａ、Ｖｂ
【００６３】
対象グリッド点Ｔｃは、第１領域Ｑ１内（ｇａ＝−７、ｇｂ＝７）に配置されているので、図１５の演算式では、分配ベクトルＶａ、Ｖｃが利用される。第１グリッド値ｇａ（−７）から算出される基準調整量Ａｃ（ｇａ）は、第７値Ａｃ７（図１６）である。第２グリッド値ｇｂ（７）から算出される基準調整量Ａｃ（ｇｂ）も、第７値Ａｃ７である。以上により、赤成分値Ｒｓと青成分値Ｂｓとは維持され、緑成分値Ｇｓには、第７値Ａｃ７が加算される。この結果、第３種出力色値Ｃｇは、第１種出力色値Ｃｓよりも彩度が高い緑色を表す。
【００６４】
図１７の分配ベクトルＶａ〜Ｖｄは、図１３の各領域Ｑ１〜Ｑ４内で彩度が高くなるように、構成されている。例えば、緑に近い色を表す第１領域Ｑ１では、分配ベクトルＶａ、Ｖｃが利用されるので、Ｒ成分およびＢ成分と比べて、Ｇ成分が大きく増大する（緑の彩度が高くなる）。シアンに近い色を表す第２領域Ｑ２では、分配ベクトルＶｃ、Ｖｄが利用されるので、Ｇ成分と比べて、Ｂ成分が大きく増大し、Ｒ成分が減少する（シアンの彩度が高くなる）。マゼンタに近い色を表す第３領域Ｑ３では、分配ベクトルＶｂ、Ｖｄが利用されるので、Ｇ成分が減少し、Ｒ成分およびＢ成分が増大する（マゼンタの彩度が高くなる）。赤に近い色を表す第４領域Ｑ４では、分配ベクトルＶａ、Ｖｂが利用されるので、Ｇ成分およびＢ成分と比べて、Ｒ成分が大きく増大する（赤の彩度が高くなる）。
【００６５】
以上のように、第１種出力プロファイルＰＦ２ｓ（図１３）の全てのグリッド点の出力色値を、図１６の基準調整量Ａｃと図１７の分配ベクトルＶａ〜Ｖｄとを利用して修正することによって、第３種出力プロファイルＰＦ２ｇが決定される。そして、決定された第３種出力プロファイルＰＦ２ｇと入力プロファイルＰＦ１とを組み合わせることによって、第３種プロファイルＰＦｇを生成することができる（図１５）。
【００６６】
以上のように、第１実施例では、図５〜図８で説明したように、解析決定部２４０は、読取設定に応じて、画像解析の手順（スキャン画像ＲＩに適用すべき解析処理）を決定する。ここで、第１手順（第１解析処理（肌色領域））が選択されるための条件を第１条件と呼び、第２手順（第２解析処理（グラフィック領域）が選択されるための条件を第２条件と呼ぶ。第１条件は、指示読取部ＲＤが第１読取部１６２であることを含む（図７）。第２条件は、指示読取部ＲＤが第２読取部１６４であることを含む（図７）。このように、指示読取部ＲＤに応じて解析処理が決定されるので、解析処理を含む画像処理を、読み取られた画像に応じて、適切に決定できる。
【００６７】
また、図１０に示すように、プロファイル決定部２５０は、肌色領域とグラフィック領域とのいずれとも異なる領域（通常領域）に適用すべきプロファイルとして、第１種プロファイルＰＦｓを決定し、肌色領域に適用すべきプロファイルとして、第２種プロファイルＰＦｐを決定する。従って、肌色領域に、肌色領域に適した第２種プロファイルＰＦｐを適用可能である。また、図１２で説明したように、第２種プロファイルＰＦｐは、肌色範囲（図８の第１解析処理参照）に含まれる色値に対応付けられた色変換後の色値が、第１種プロファイルＰＦｓによる色変換後の色値と異なるように、構成されている。従って、プロファイル決定部２５０は、肌色領域に適した第２種プロファイルＰＦｐを決定できる。また、色変換後の画像データは、人物の肌色を適切な色で表現できる。
【００６８】
また、プロファイル決定部２５０は、グラフィック領域に適用すべきプロファイルとして、第３種プロファイルＰＦｇを決定する。従って、グラフィック領域に、グラフィック領域に適した第３種プロファイルＰＦｇを適用可能である。また、図１４で説明したように、第３種プロファイルＰＦｇは、色変換前の彩度が高いほど彩度差ｄＳＴが大きくなるように、構成されている。従って、プロファイル決定部２５０は、彩度の高い色を示すグラフィック領域に適した第３種プロファイルＰＦｇを決定できる。また、色変換後の画像データは、彩度の高いグラフィックを鮮やかに表現できる。
【００６９】
ここで、第３手順（第１解析処理（肌色領域）と第２解析処理（グラフィック領域））が選択されるための条件を第３条件と呼ぶ。図７に示すように、第１手順のための第１条件は、読取領域サイズＡＳが「Ｌ判（Ａ５未満）」であることを含む。第３手順のための第３条件は、指示読取部ＲＤが第１読取部１６２であり、かつ、読取領域サイズＡＳが「Ａ５」以上であることを含む。従って、第３条件が満たされる場合には、人物（肌色領域）とグラフィックとを含む画像に適した解析処理が決定される。特に、図７、図８で説明したように、第３条件は、さらに、グラフィック割合Ｒｇｒが基準割合Ｒｔｈ以下であることを含む。従って、スキャン画像ＲＩが、人物（肌色領域）とグラフィック領域とを含む可能性が高い場合に第３条件が満たされるので、解析決定部２４０は、肌色領域とグラフィック領域とを含む画像に適した解析処理を決定できる。
【００７０】
また、図５、図６に示すように、解析決定部２４０は、読取設定（読み取り条件）に応じて、画像解析の要否を決定する。読み取り条件が第１読み取り条件（図５、図６の「解析しない」に対応付けられた条件）である場合、解析決定部２４０は、スキャン画像ＲＩに適用すべき解析処理を決定せずに（図２：Ｓ１２０）、プロファイル決定部２５０は、スキャン画像ＲＩの全体に適用すべきプロファイルとして、第１種プロファイルＰＦｓを決定する（図１０：Ｓ３００）。読み取り条件が第２読み取り条件（図５、図６の「解析する」に対応付けられた条件）である場合、解析決定部２４０は、スキャン画像ＲＩに適用すべき解析処理を決定し（図２、図７、図８）、プロファイル決定部２５０は、解析処理によって抽出された領域に適用すべきプロファイルを決定する（図１０）。このように、読み取り条件が第１読み取り条件である場合には、解析処理が省略されるので、処理に要する時間を短縮できる。
【００７１】
また、図１２で説明したように、プロファイル生成部２５２は、肌色領域に適用すべき第２種プロファイルＰＦｐを、解析処理の結果に応じて生成する。従って、スキャン画像ＲＩに適したプロファイルが、スキャン画像ＲＩに適用され得る。
【００７２】
Ｂ．第２実施例：
図１０のステップＳ３２０で、プロファイル生成部２５２（図１）は、第３種プロファイルＰＦｇを、解析処理の結果に応じて生成してもよい。第２実施例の他の構成は、上記の第１実施例の構成（図１〜図１７）と同じである。図１８は、第３種プロファイルＰＦｇの生成方法の一例を示す概略図である。図１８（Ａ）は、グラフィック割合Ｒｇｒと指数γとの関係を示すグラフである。横軸は、グラフィック割合Ｒｇｒ（図８：Ｓ２３３）を示し、縦軸は、指数γ（図１６）を示している。図示するように、指数γは、グラフィック割合Ｒｇｒが大きいほど、大きい。プロファイル生成部２５２は、グラフィック割合Ｒｇｒを算出し、グラフィック割合Ｒｇｒに応じて指数γを決定する。
【００７３】
図１８（Ｂ）は、色変換前の彩度ｓｇ（図１４（Ａ））と基準調整量Ａｃ（図１６）との関係を示すグラフである。横軸は、彩度ｓｇを示し、縦軸は、基準調整量Ａｃを示している。図１８（Ｃ）は、色変換前の彩度ｓｇと色変換後の彩度差ｄＳＴ（図１４（Ｂ））との関係を示すグラフである。横軸は、彩度ｓｇを示し、縦軸は、彩度差ｄＳＴを示している。図１６と同様、彩度ｓｇが大きいほど、基準調整量Ａｃは大きい（図１８（Ｂ））。また、図１４（Ｂ）と同様、彩度ｓｇが大きいほど、彩度差ｄＳＴが大きい（図１８（Ｃ））。
【００７４】
図１８（Ｂ）、図１８（Ｃ）には、グラフィック割合Ｒｇｒの変化に対する対応関係の変化が示されている。図１８（Ｂ）に示すように、グラフィック割合Ｒｇｒが大きいほど、小さい彩度ｓｇで、基準調整量Ａｃが大きくなる。この結果、図１８（Ｃ）に示すように、グラフィック割合Ｒｇｒが大きいほど、小さい彩度ｓｇで、彩度差ｄＳＴが大きくなる。
【００７５】
このように、グラフィック割合Ｒｇｒが大きい場合には、グラフィック割合Ｒｇｒが小さい場合と比べて、グラフィック領域が鮮やかに表現されるように、第３種プロファイルＰＦｇが決定される。従って、色変換後の画像データは、主にグラフィック領域を表す画像を、より鮮やかに表現することができる。逆に、グラフィック割合Ｒｇｒが小さい場合には、グラフィック割合Ｒｇｒが大きい場合と比べて、グラフィック領域の彩度が抑制されるように、第３種プロファイルＰＦｇが決定される。従って、原稿が、人物と小さいグラフィック領域とを表す場合に、小さいグラフィック領域が鮮やかに表現されて意図せずに目立つ可能性を低減できる。
【００７６】
なお、第３種プロファイルＰＦｇの生成方法としては、上述した方法とは異なる他の方法を採用可能である。例えば、第１種プロファイルＰＦｓの出力色値（ＲＧＢ）を、色相Ｈ、彩度Ｓ、輝度Ｖの色値に変換し、色変換前の彩度が高いほど彩度Ｓを増大させ、調整後のＨＳＶの色値をＲＧＢの色値に変換することによって、第３種プロファイルＰＦｇの出力色値（ＲＧＢ）を決定してもよい。
【００７７】
Ｃ．変形例：
（１）第１解析処理（図８）で抽出される領域（以下「第１種領域」と呼ぶ）としては、肌色領域に限らず、他の領域（例えば、青色領域（空領域）や緑色領域（植物領域））を採用可能である。一般的には、特定の色域の色によって表される領域を採用可能である。
【００７８】
第１種領域用の第２種プロファイルＰＦｐの構成としては、第１種領域の色域（特定色域）内の第１色値に対応付けられる色変換後の色値が、第１種領域に適した色値となるような、種々の構成を採用可能である。例えば、第２種プロファイルＰＦｐによる第１色値からの色変換後の色値としては、第１種プロファイルＰＦｓによる第１色値からの色変換後の色値と異なる色値を採用可能である。
【００７９】
（２）第２解析処理（図８）で抽出される領域（以下「第２種領域」と呼ぶ）としては、多角形を表す領域に限らず、円または楕円を表す領域等の種々のグラフィックを表す領域を採用可能である。そのような第２種領域を抽出する方法としては、ハフ変換に限らず、パターンマッチング等の種々の方法を採用可能である。
【００８０】
第２種領域用の第３種プロファイルＰＦｇの構成としては、色変換前の彩度ｓｇが大きいほど色変換後の彩度差ｄＳＴが大きくなるような構成（図１４（Ｂ））に限らず、種々の構成を採用可能である。例えば、色変換前の色空間内の少なくとも一部の領域内で、明るさ（例えば、Ｌ＊）と色相とを固定した場合に、色変換前の彩度が高いほど、色変換後の彩度と色相と明度とのうちの少なくとも１つの色成分の値の差が大きくなるような構成を採用可能である。色変換後の色成分の値の差は、第１種プロファイルＰＦｓと第３種プロファイルＰＦｇとの間の色変換後の色成分の値の差である。ここで、色変換後の色値の差が、色変換前の彩度が高いほど大きくなるような構成を採用可能である。色変換後の色値の差としては、例えば、第１種プロファイルＰＦｓによる色変換後の色値と、第３種プロファイルＰＦｇによる色変換後の色値と、の間のユークリッド距離を採用可能である。
【００８１】
（３）通常領域用のプロファイルとして、第２種プロファイルＰＦｐ、または、第３種プロファイルＰＦｇが決定されてもよい（第１種プロファイルＰＦｓは省略）。なお、通常領域は「第１種領域と第２種領域とのいずれとも異なる特定種類の領域」の例である。
【００８２】
（４）読取設定（読み取り条件）と、適用すべき解析処理との関係としては、図７、図８の関係とは異なる関係を採用可能である。例えば、読取領域サイズＡＳの閾値が「Ａ５」と異なってもよい（例えば、「Ａ４」）。指示読取部ＲＤが第１読取部１６２である場合、読取領域サイズＡＳに拘わらずに、第２解析処理が選択されずに、第１解析処理が選択されてもよい。指示読取部ＲＤが第１読取部１６２である場合、読取領域サイズＡＳに拘わらずに、第１解析処理と第２解析処理との両方が選択されてもよい。指示読取部ＲＤが第１読取部１６２であり、かつ、読取領域サイズＡＳが閾値以上である場合、グラフィック割合Ｒｇｒに拘わらずに、第１解析処理と第２解析処理との両方が選択されてもよい。
【００８３】
また、読取設定（読み取り条件）と、解析処理の要否との関係としては、図５、図６の関係とは異なる関係を採用可能である。例えば、「解析しない」の読取解像度ＲＳの上限が「２００」でもよい。また、読取設定に拘わらずに解析処理を行うこととしてもよい。
【００８４】
（５）第１種領域用の第２種プロファイルＰＦｐは、予め決定されていてもよい。例えば、プロファイル生成部２５２は、第３種プロファイルＰＦｇのみを、解析結果に応じて生成してもよい。また、プロファイル生成部２５２を省略してもよい。
【００８５】
（６）色変換プロファイルによる色変換後の色空間としては、ＲＧＢ色空間とは異なる任意の色空間を採用可能である。例えば、プリンタ１７０の色材の種類によって表される色空間（例えば、ＣＭＹＫ色空間）を採用可能である。こうすれば、色変換部３２０は、色変換によって、印刷用の画像データを生成できる。
【００８６】
（７）図１に示す実施例において、画像処理のための機能（例えば、処理制御部２００と画像処理部３００の機能）は、複合機１００と異なる種類の装置（例えば、デジタルカメラ、スキャナ、パーソナルコンピュータ、スマートフォン）によって実現されてもよい。画像処理部３００の機能を実現する装置とは異なる装置が、処理制御部２００の機能を実現してもよい。ネットワークを介して互いに通信可能な複数の装置（例えば、コンピュータ）が、処理制御部２００の機能を一部ずつ分担して、全体として、処理制御部２００の機能を提供してもよい（これらの装置を備えるシステムが制御装置に対応する）。同様に、複数の装置を備えるシステムが、全体として、画像処理部３００の機能を提供してもよい（このシステムは画像処理装置に対応する）。また、処理制御部２００と画像処理部３００の機能を実現する装置（またはシステム）は、画像処理装置と呼ぶことができる。
【００８７】
上記各実施例において、ハードウェアによって実現されていた構成の一部をソフトウェアに置き換えるようにしてもよく、逆に、ソフトウェアによって実現されていた構成の一部あるいは全部をハードウェアに置き換えるようにしてもよい。例えば、図１の処理制御部２００の機能を、論理回路を有する専用のハードウェア回路によって実現してもよい。
【００８８】
また、本発明の機能の一部または全部がコンピュータプログラムで実現される場合には、そのプログラムは、コンピュータ読み取り可能な記録媒体（例えば、一時的ではない記録媒体）に格納された形で提供することができる。プログラムは、提供時と同一または異なる記録媒体（コンピュータ読み取り可能な記録媒体）に格納された状態で、使用され得る。「コンピュータ読み取り可能な記録媒体」は、メモリーカードやＣＤ−ＲＯＭのような携帯型の記録媒体に限らず、各種ＲＯＭ等のコンピュータ内の内部記憶装置や、ハードディスクドライブ等のコンピュータに接続されている外部記憶装置も含んでいる。
【００８９】
以上、実施例、変形例に基づき本発明について説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれる。
【符号の説明】
【００９０】
１００...複合機、１１０...ＣＰＵ、１２０...揮発性記憶装置、１３０...不揮発性記憶装置、１３２...プログラム、１３４...色データ、１４０...表示部、１５０...操作部、１６０...スキャナ、１６２...第１読取部、１６４...第２読取部、１７０...プリンタ、１８０...インタフェース、２００...処理制御部、２０２...特定部、２１０...読取特定部、２２０...サイズ特定部、２３０...データ条件特定部、２４０...解析決定部、２５０...プロファイル決定部、２５２...プロファイル生成部、３００...画像処理部、３１０...解析部、３２０...色変換部、４１０...スキャナ制御部、４２０...プリンタ制御部、ＰＦｓ...第１種プロファイル、ＰＦｐ...第２種プロファイル、ＰＦｇ...第３種プロファイル、
【図１】
2014017562.tif 000003
【図２】
2014017562.tif 000004
【図３】
2014017562.tif 000005
【図４】
2014017562.tif 000006
【図５】
2014017562.tif 000007
【図６】
2014017562.tif 000008
【図７】
2014017562.tif 000009
【図８】
2014017562.tif 000010
【図９】
2014017562.tif 000011
【図１０】
2014017562.tif 000012
【図１１】
2014017562.tif 000013
【図１２】
2014017562.tif 000014
【図１３】
2014017562.tif 000015
【図１４】
2014017562.tif 000016
【図１５】
2014017562.tif 000017
【図１６】
2014017562.tif 000018
【図１７】
2014017562.tif 000019
【図１８】
2014017562.tif 000020